(57)【特許請求の範囲】
【請求項１】
２つの座部サポートに固定された座部パネルを有する座部と、
可撓性の背もたれパネルと、前記可撓性の背もたれパネルのそれぞれの側縁に係合するそれぞれの上部を有する２つの背もたれサポートと、を有する背もたれと、
前記座部および前記背もたれを支え、一対の後脚を含む第１の構造体および一対の前脚を含む第２の構造体を有し、前記第１の構造体と前記第２の構造体とが第１の軸の周りに一緒に関節連結される、折り畳み式フレームと、
一対のジョイントであって、各ジョイントが、それぞれの後脚に固定される第１の半連結器およびそれぞれの前脚に固定される第２の半連結器を有する一対のジョイントと、
を備え、
前記第１の構造体、前記第２の構造体、および前記座部が使用ポジションと格納ポジションとの間で前記第１の軸の周りに回転可能なように、前記第１の半連結器、前記第２の半連結器、およびそれぞれの座部サポートは前記第１の軸の周りにおいて互いに対して回転可能であり、
前記２つの背もたれサポートのそれぞれは、前記第１の軸に垂直な第２の軸の周りにおいて、それぞれの前記第２の半連結器と回転自在に係合する下部を有し、
前記２つの背もたれサポートのそれぞれの前記上部は、前記第２の軸に対して偏心しており、
前記２つの背もたれサポートの複数の前記上部の間の距離が、前記使用ポジションにおいて最小値を有し、前記格納ポジションにおいて最大値を有するように、それぞれの座部サポートは、前記第１の軸の周りにおける前記座部サポートの回転に従って、前記第２の軸の周りにおけるそれぞれの前記背もたれサポートの前記回転を制御する伝達機構を介して、それぞれの前記背もたれサポートに接続される、
折り畳み式椅子。
【請求項２】
前記伝達機構は、軸方向に可動な様式で前記座部サポートの穴に回転自在に係合し、前記第１の軸に対して偏心しているピンを有し、前記ピンは、それぞれの前記背もたれサポートと一体的に回転するクランク要素に関節連結される、請求項１に記載の椅子。
【請求項３】
前記ピンと前記クランク要素とは、前記第２の軸に平行且つ前記第２の軸に対して偏心している関節連結ピンによって一緒に関節連結される、請求項２に記載の椅子。
【請求項４】
前記伝達機構は、それぞれの前記背もたれサポートの前記下部に固定されるレバーであって、前記第１の半連結器のキャビティに係合する球状ヘッドを有するレバーを有する、請求項１に記載の椅子。
【請求項５】
前記２つの座部サポートのそれぞれは、前記第１の半連結器のそれぞれのウィンドウに係合する、少なくとも１つの第１の偏心歯を有する、請求項１から請求項４のいずれか１項に記載の椅子。
【請求項６】
前記第１および第２の半連結器は、前記第１および第２の半連結器のうちの一方に対して固定された少なくとも１つの歯を含み、前記第１および第２の半連結器のうちの他方に対して固定された複数の停止面と協働する移動停止装置を有する、請求項１から請求項５のいずれか１項に記載の椅子。
【発明の詳細な説明】
【技術分野】
【０００１】
本発明は、座部、背もたれ、並びに、座部および背もたれを支え、使用ポジションと格納ポジションとの間で可動な折り畳み式フレームを備える折り畳み式椅子に関する。
【背景技術】
【０００２】
同一の発明者による米国特許第３７０５７４４号明細書は、複数の前脚を規定する矩形の第１Ｕ字型フレームに背もたれが固定され、複数の後脚を規定する第２Ｕ字型フレームが、横断軸の周りに第１フレームに対して関節連結される折り畳み式椅子を説明している。座部は、同一の横断軸の周りに関節連結される。
【０００３】
同一の出願人による米国特許第５５２４９６６号明細書は、それぞれ、複数の前脚、複数の後脚、および座部を規定する３つの構造体が備えられた折り畳み式椅子を説明している。これらは、共通の横断軸の周りに相互に関節連結される。この椅子の背もたれは、上記の３つの構造体とは別個のものであって、共通の軸の周りでそれらのうち１つに関節連結された、第４の構造体の一部分を形成する。
【０００４】
概して、複数の折り畳み式椅子は、より小さな寸法の背もたれを有する。ユーザに対してより大きな快適さを提供するためには、これらの折り畳み式椅子の背もたれの表面積を増大させることが望ましいだろう。しかしながら、背もたれの表面積を増大させることは可能でないことが多い。何故ならば、より大きな寸法の背もたれを有すると、格納状態において、背もたれが少なくとも部分的に座部と重なってしまうからである。これは、格納状態における椅子の体積を増大させることになるだろう。
【発明の概要】
【０００５】
本発明は、使用状態において、ユーザに対してより高い快適性を提供する背もたれを有し、格納ポジションにおいて最小の体積を有する折り畳み式椅子を提供することを目的とする。
【０００６】
本発明に従うと、この目的は、請求項１の主題を形成する特徴を有する椅子によって達成される。
【０００７】
複数の請求項は、本発明に関して本明細書に提供される開示の不可欠な部分を形成する。
【図面の簡単な説明】
【０００８】
ここから本発明は、単なる非限定的な例として与えられる複数の添付の図面を参照して、詳細に説明されるだろう。
【図１】使用ポジションにある、本発明に従った折り畳み式椅子の斜視図である。
【図２】格納ポジションにある、本発明に従った折り畳み式椅子の斜視図である。
【図３】図２の矢印ＩＩＩによって示される部分の分解斜視図である。
【図４】より明瞭にすべく、その他複数の構成要素が除かれた状態の、図３の複数の構成要素のうちのいくつかの分解斜視図である。
【図５】より明瞭にすべく、その他複数の構成要素が除かれた状態の、図３の複数の構成要素のうちのいくつかの分解斜視図である。
【図６】図５の複数の構成要素についての、異なる角度からの分解斜視図である。
【図７】本発明に従った椅子の変形形態のいくつかの構成要素を示す分解斜視図である。
【図８】使用ポジションにある、図７の変形形態に従った椅子のいくつかの構成要素を示す分解斜視図である。
【図９】使用ポジションにある、図７の変形形態に従った椅子のいくつかの構成要素を示す分解斜視図である。
【図１０】格納ポジションにある、図７の変形形態に従った椅子のいくつかの構成要素を示す分解斜視図である。
【図１１】格納ポジションにある、図７の変形形態に従った椅子のいくつかの構成要素を示す分解斜視図である。
【発明を実施するための形態】
【０００９】
図１および図２を参照すると、符号１０が、本発明に従った折り畳み式椅子を示す。椅子１０は、座部１２、背もたれ１４、並びに、座部１２および背もたれ１４を支える折り畳み式フレーム１６を備える。
【００１０】
折り畳み式フレーム１６は、椅子１０の長手方向軸に対して横方向の第１の軸Ａの周りに、互いに対して関節連結された第１の構造体１８および第２の構造体２０を備える。第１および第２の構造体１８、２０は、それぞれ管状をした複数のＵ字型要素により形成される。第１の構造体１８は、一対の後脚１８'を備える。これらは、その下方端部において、後方の横方向要素１８"によって一緒に接合される。第２の構造体２０は、一対の前脚２０'を備える。これらは、その下方端部において、前方の横方向要素２０"によって一緒に接合される。
【００１１】
座部１２は、硬質プラスチック材料の座部パネル２２、および、座部パネル２２の下側の面に固定された２つの座部サポート２４を備える。これらの座部サポート２４は、第１の軸Ａの周りで、第１の構造体１８および第２の構造体２０に関節連結される。
【００１２】
背もたれ１４は、可撓性の背もたれ２６および２つの背もたれサポート２８を備える。これらの背もたれサポート２８は、可撓性の背もたれパネル２６のそれぞれの側縁３０に係合する。好ましくは、可撓性の背もたれパネル２６は、弾性的に変形可能なプラスチック材料、例えばナイロンから成る。可撓性の背もたれパネル２６は、アーチ形の使用ポジション、および、伸ばされた格納ポジションを取る。使用ポジションにおいて、背もたれパネル２６は、格納ポジションにおける背もたれパネル２６の曲率半径Ｒ２よりも実質的に小さな曲率半径Ｒ１を有する。
【００１３】
椅子１０は、座部１２、第１の構造体１８、および第２の構造体２０を、第１の軸Ａの周りに一緒に関節連結させる一対のジョイント３２を備える。図３および図４を参照すると、それぞれのジョイント３２は、それぞれの後脚１８'に固定された第１の半連結器３４、および、それぞれの前脚２０'に固定された第２の半連結器３６を備える。第１の半連結器３４は、それぞれの座部サポート２４と第２の半連結器３６との間の中間位置に配置される。
【００１４】
座部サポート２４、第１の半連結器３４、および第２の半連結器３６は、ピボットピン３８によって、第１の軸Ａの周りに一緒に関節連結される。ピボットピン３８は、座部サポート２４および第１の半連結器３４の中央の穴４２、４４に回転自在に係合する関節連結部４０、および、第２の半連結器３６に固定される取付部４６を有する。ピボットピン３８はまた、座部サポート２４および第１の半連結器３４を第２の半連結器３６に対して軸方向に拘束するヘッド４８を有する。
【００１５】
図４を参照すると、座部サポート２４は、軸Ａに対して偏心しており、第１の半連結器３４の第１のウィンドウ５２に挿入される、第１の歯５０を有する。第２の半連結器３６は、軸Ａに対して偏心しており、第１の半連結器３４の第２のウィンドウ５６に挿入される、第２の歯５４を有する。第１のウィンドウ５２および第２のウィンドウ５６は、円形のセクタとして形成される。第１の歯５０および第２の歯５４は、一体的な様式で形成されることができる。または、座部サポート２４、および、それぞれ第２の半連結器３６に対して固定されることができる。第１の歯５０は、使用ポジションと格納ポジションとの間、およびその逆の間の座部１２の動きの結果として、第１の半連結器３４およびそこに取り付けられた後脚１８'を軸Ａの周りに回転させるべく、第１のウィンドウ５２の向かい合った端部と協働する。第１の歯５０および第１のウィンドウ５２はまた、使用ポジションにおける座部１２の停止部を画定する。第２の歯５４は、使用ポジションにおいて、および、格納ポジションにおいて、第１の半連結器３４と第２の半連結器３６との間の停止部を画定すべく、第２のウィンドウ５６の向かい合った端部と協働する。
【００１６】
図３から図６を参照すると、各背もたれサポート２８は、第１の軸Ａと直交する第２の軸Ｂの周りにて、それぞれの第２の半連結器３６と回転自在に係合する下部５８を有する。背もたれサポート２８の下部５８には、第２の軸Ｂを画定すべく、第２の半連結器３６に形成された対応する複数の座部と回転自在に係合する、ピン型の付属物６０が備えられることが好ましい。好ましくは、ピン型の付属物６０は、例えばネジによって下部５８に固定された別個の構成要素である。背もたれサポート２８の下部５８は、好ましくは、それぞれの前脚２０'と位置合わせされ、前脚２０'と同軸状である。
【００１７】
各背もたれサポート２８は、第２の軸Ｂに対して偏心した上部６２を有する。上部６２は、可撓性の背もたれパネル２６のそれぞれの側縁３０に係合する。背もたれサポート２８の上部６２は、傾斜部６４によってそれぞれの下部５８に接続される。
【００１８】
図３、図５、および図６を参照すると、各座部サポート２４は、第１の軸Ａ周りの座部サポート２４の回転の結果として第２の軸Ｂ周りの背もたれサポート２８の回転を制御する伝達機構６６を介して、それぞれの背もたれサポート２８に接続される。図３−図６に示される実施形態において、伝達機構６６は、円筒状の胴部７０を有するピン６８、および、横方向の穴７４を有する四角形のヘッド７２を備える。ピン６８の円筒状の胴部７０は、第１の軸Ａと平行且つ第１の軸Ａに対して偏心した軸Ｃを有する、座部サポート２４の穴７６と係合する。ピン６８は、穴７６の中で軸Ｃの周りを自由に回転し、軸Ｃの方向において座部サポート２４に対して自由に移動する。
【００１９】
伝達機構６６は、軸Ｂの周りにおいて、背もたれサポート２８に対して回転が固定されたクランク要素７８を備える。図示された例において、クランク要素７８と背もたれサポート２８との間における回転が固定された係合は、背もたれサポート２８の前歯８２により係合された、クランク要素７８の前溝８０によって得られる。クランク要素７８は、背もたれサポート２８との回転についての係合は維持しながら、背もたれサポート２８に対して軸Ｂの方向に自由に移動する。クランク要素７８およびピン６８は、軸Ｂに平行且つ軸Ｂに対して偏心した軸Ｄの周りに、一緒に関節連結される。図示された例において、この関節連結は、ヘッド７２の穴７４、および、クランク要素７８のフォーク形状部８６の対応する複数の穴に係合する、ピボットピン８４よって得られる。
【００２０】
座部サポート２４が軸Ａの周りに行ったり来たりすると、ピン６８は、軸Ａをその中心とし、軸Ｃと軸Ａとの間の距離に等しい半径を有する円形の経路に沿って、回転を成す。軸Ａの周りにおけるピン６８の回転は、軸Ｂの周りにおけるクランク要素７８の回転を生み出す。使用ポジションから格納ポジションへの座部１２の動きに対応する、軸Ａの周りにおける座部サポート２４の９０°の回転が、図１に示される使用ポジションと、図２に示される格納ポジションとの間での、軸Ｂの周りにおける背もたれサポート２８の９０°の回転を生み出す。
【００２１】
図７−図１０は、第１の軸Ａの周りにおける座部サポート２４の回転の結果として、第２の軸Ｂの周りにおけるそれぞれの背もたれサポート２８の回転を制御する、伝達機構６６の変形形態を示す。以前に説明されたものに対応する複数の要素は、同一の参照番号によって示されている。
【００２２】
この変形形態においては、図３−図６に示されるバージョンと比較して、伝達機構６６が大いに簡略化されている。この場合、伝達機構６６は、それぞれの背もたれサポートの下部５８に固定されたレバー９０を備える。レバー９０は、第２の半連結器３６の座部９２（図７）において、軸Ｂの周りに回転可能である。レバー９０は、第１の半連結器３４のキャビティ９６（図９および図１１）と係合する球状ヘッド９４を有する。
【００２３】
軸Ａの周りにおける第２の半連結器３６に対する第１の半連結器３４の相対的回転は、第１の半連結器３４のキャビティ９６とレバー９０の球状ヘッド９４との間の係合に起因した、軸Ｂの周りにおけるレバー９０の回転を生み出す。前に説明された変形形態の場合のように、この変形形態においても同様に、使用ポジションから格納ポジションへの座部１２の動きに対応する、軸Ａの周りにおける座部サポート２４の回転が、図１に示される使用ポジションと、図２に示される格納ポジションとの間での、軸Ｂの周りにおける背もたれサポート２８の９０°の回転を生み出す。
【００２４】
図９および図１１を参照すると、座部サポート２４は、軸Ａに対して偏心しており、第１の半連結器３４のそれぞれのウィンドウ５２（図７および図１０）に挿入される、２つの第１の歯５０を有する。図９および図１１を参照すると、第１の半連結器３４は、チャンバ１００中へと半径方向に突出する第２の歯９８を有する。図７、図８および図１０を参照すると、第２の半連結器３６は、第１の半連結器３４のチャンバ１００中に挿入される突出部１０２を有する。突出部１０２は、第１の半連結器３４の第２の歯９８と協働する、２つのベアリング面を有する。
【００２５】
前に説明された実施形態におけるもののように、それらの第１の歯５０は、使用ポジションと格納ポジションとの間、およびその逆の間の座部１２の動きの結果として、第１の半連結器３４（およびそこに取り付けられた後脚１８'）を軸Ａの周りに回転させるべく、複数の第１のウィンドウ５２の向かい合った端部と協働する。それらの第１の歯５０および複数の第１のウィンドウ５２はまた、使用ポジションにおける座部１２の停止部を画定する。第２の歯５４は、使用ポジションにおいて、および、格納ポジションにおいて、第１の半連結器３４と第２の半連結器３６との間の停止部を画定すべく、第２の半連結器３６の突出部１０２のベアリング面１０４と協働する。
【００２６】
第２の半連結器３６の突出部１０２は軸方向の穴１０６を有し、その内側に、ピボットピン３８の取付部４６が固定される。
【００２７】
どちらの実施形態においても、使用ポジションでは、複数の背もたれサポート２８の複数の上部６２が、図１のＬ１によって示されるように、最小の相対距離に位置する。この位置において、可撓性の背もたれパネル２６は、最小の曲率半径Ｒ１を有するアーチ形の位置を取る。椅子１０が、図２に示されるように格納ポジションにある場合、複数の背もたれサポート２８の複数の上部６２は、Ｌ２で示されるように、最大の相対距離に位置する。複数の背もたれサポート２８の複数の上部６２による相対的に離れる移動は、背もたれパネル２６に対して、使用ポジションにおける曲率半径Ｒ１より大きな曲率半径Ｒ２を有する、伸ばされたポジションを取らせる。
【００２８】
従って、使用ポジションから格納ポジションへの移行中、可撓性の背もたれパネル２６は、ユーザに対して最適で快適な状態を提供する、小さな曲率半径Ｒ１を有するアーチ形の配置から、格納ポジションにおいて椅子の体積を最小化する、大きな曲率半径Ｒ２を有する伸ばされたポジションへと移り変わる。
【００２９】
もちろん、本発明の原理を損なうことなく、構造の詳細および複数の実施形態は、以下の特許請求の範囲により画定される本発明の範囲から逸脱することなく、説明され、示されたものに対して広く変更され得る。
【図１】
0006753576.tif 000002
【図２】
0006753576.tif 000003
【図３】
0006753576.tif 000004
【図４】
0006753576.tif 000005
【図５】
0006753576.tif 000006
【図６】
0006753576.tif 000007
【図７】
0006753576.tif 000008
【図８】
0006753576.tif 000009
【図９】
0006753576.tif 000010
【図１０】
0006753576.tif 000011
【図１１】
0006753576.tif 000012